(57)【要約】【課題】より柔軟なコンテンツの指定を可能とする。【解決手段】電子機器の制御方法は、コンテンツに紐付けられる指標であって、連続値により表現される指標の範囲をユーザから受け付け（ステップＳ１）、受け付けた範囲に含まれる指標が紐付けられたコンテンツを取得し（ステップＳ２）、取得したコンテンツの再生を制御する（ステップＳ３）。例えば、指標は、再生されているコンテンツに対してユーザが向ける注意の度合いを示す推定指標である。【選択図】図１４
2020065098.tif 000002
【特許請求の範囲】
【請求項１】
コンテンツに紐付けられる指標であって、連続値により表現される指標の範囲をユーザから受け付け、
受け付けた前記範囲に含まれる指標が紐付けられたコンテンツを取得し、
取得した前記コンテンツの再生を制御する
電子機器の制御方法。
【請求項２】
前記指標は、再生されている前記コンテンツに対してユーザが向ける注意の度合いを示す推定指標である
請求項１に記載の電子機器の制御方法。
【請求項３】
前記電子機器の制御方法は、さらに、
前記コンテンツに含まれる映像に紐付けられる指標である映像指標と、前記コンテンツに含まれる音響に紐付けられる指標である音響指標とを用いて、指標を算出し、
算出した前記指標を予め前記コンテンツに紐付ける
請求項２に記載の電子機器の制御方法。
【請求項４】
前記指標の算出では、前記映像指標と前記音響指標との加重平均により前記指標を算出し、
前記加重平均における前記音響指標の重みが前記映像指標の重みより大きい
請求項３に記載の電子機器の制御方法。
【請求項５】
前記指標の算出では、前記映像指標と前記音響指標との加重平均により前記指標を算出し、
前記加重平均における前記映像指標の重みが前記音響指標の重みより大きい
請求項３に記載の電子機器の制御方法。
【請求項６】
前記指標の算出では、前記映像指標と前記音響指標との加重平均により前記指標を算出し、
前記加重平均における前記映像指標の重みが、前記コンテンツに含まれる映像が表示される表示画面の寸法が大きいほど大きい
請求項３〜５のいずれか１項に記載の電子機器の制御方法。
【請求項７】
前記電子機器の制御方法は、さらに、
前記コンテンツに含まれる映像の明度、彩度、色相、又は、シーンチェンジの態様に基づいて前記映像指標を算出する
請求項３に記載の電子機器の制御方法。
【請求項８】
前記電子機器の制御方法は、さらに、
前記コンテンツに含まれる音響の音量、周波数分布、又は、音量の変化の態様に基づいて前記音響指標を算出する
請求項３に記載の電子機器の制御方法。
【請求項９】
前記電子機器の制御方法は、さらに、
受け付けた前記範囲を、再生されている前記コンテンツとともに提示する
請求項１〜８のいずれか１項に記載の電子機器の制御方法。
【請求項１０】
前記コンテンツの取得では、
（ａ）受け付けた前記範囲に含まれる前記指標が紐付けられたコンテンツであって、映像及び音響のうちの映像のみを含むコンテンツである映像コンテンツと、（ｂ）受け付けた前記範囲に含まれる前記指標が紐付けられたコンテンツであって、映像及び音響のうちの音響のみを含むコンテンツである音響コンテンツと、を取得し、
前記再生の制御では、
取得した前記映像コンテンツと前記音響コンテンツとをともに再生する
請求項１〜９のいずれか１項に記載の電子機器の制御方法。
【請求項１１】
前記コンテンツの取得では、前記コンテンツが予め格納されたサーバから前記コンテンツを取得し、
前記サーバに予め前記コンテンツを格納する際には、さらに、前記指標を提示する
請求項１〜１０のいずれか１項に記載の電子機器の制御方法。
【請求項１２】
前記サーバに予め前記コンテンツを格納する際には、さらに、格納した前記コンテンツを調整し、調整後のコンテンツについて算出された指標を提示する
請求項１１に記載の電子機器の制御方法。
【請求項１３】
電子機器であって、
コンテンツに紐付けられる指標であって、連続値により表現される指標の範囲をユーザから受け付ける受付部と、
前記受付部が受け付けた前記範囲に含まれる指標が紐付けられたコンテンツを取得する取得部と、
前記取得部が取得した前記コンテンツの再生を制御する再生制御部とを備える
電子機器。
【請求項１４】
請求項１３の記載の電子機器と、サーバとを備える制御システムであって、
前記サーバは、
前記受付部が受け付けた前記範囲を示す情報を取得し、取得した前記情報に示される前記範囲に含まれる指標が紐付けられたコンテンツを、前記電子機器の前記取得部に提供する提供部を備える
制御システム。
【請求項１５】
請求項１に記載の電子機器の制御方法をコンピュータに実行させるためのプログラム。
【発明の詳細な説明】
【技術分野】
【０００１】
本発明は、電子機器の制御方法、電子機器、電子機器の制御システム、及び、プログラムに関する。
【背景技術】
【０００２】
従来、映像又は音声を含むコンテンツの検索のための検索キーとなるキーワードをユーザから受け付け、キーワードに適合するコンテンツを表示する情報処理装置が開示されている（特許文献１参照）。
【先行技術文献】
【特許文献】
【０００３】
【特許文献１】特開２０１３−９２９１２号公報
【発明の概要】
【発明が解決しようとする課題】
【０００４】
しかしながら、特許文献１に記載の情報処理装置では、検索キーによるコンテンツの指定をする場合、ユーザが検索キーを想起することを要する。ユーザが検索キーを想起できない場合にはコンテンツを指定することができないという問題がある。このように、従来のコンテンツ指定方法では、コンテンツの指定における柔軟性が低いという問題がある。
【０００５】
そこで、本発明は、より柔軟なコンテンツの指定を可能とする電子機器等を提供する。
【課題を解決するための手段】
【０００６】
本発明の一態様に係る電子機器の制御方法は、コンテンツに紐付けられる指標であって、連続値により表現される指標の範囲をユーザから受け付け、受け付けた前記範囲に含まれる指標が紐付けられたコンテンツを取得し、取得した前記コンテンツの再生を制御する。
【０００７】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムおよび記録媒体の任意な組み合わせで実現されてもよい。
【発明の効果】
【０００８】
本発明の電子機器の制御方法は、より柔軟なコンテンツの指定を可能とする。
【図面の簡単な説明】
【０００９】
【図１】図１は、実施の形態１における電子機器を含む制御システムの構成を示すブロック図である。
【図２】図２は、実施の形態１における電子機器の外観の一例を示す斜視図である。
【図３】図３は、実施の形態１における電子機器が再生するコンテンツの一例を示す説明図である。
【図４】図４は、実施の形態１におけるメタデータの一例を示す説明図である。
【図５】図５は、実施の形態１におけるコンテンツデータとメタデータとの対応付けの一例を示すテーブルの説明図である。
【図６】図６は、実施の形態１における制御システムにおける、アンビエント度の設定処理を示すフロー図である。
【図７】図７は、実施の形態１における制御システムにおける、コンテンツの再生処理を示すフロー図である。
【図８】図８は、実施の形態１における、アンビエント度の範囲とグループとの関係を示すグループテーブルの説明図である。
【図９】図９は、実施の形態１の変形例におけるサーバの構成を示すブロック図である。
【図１０】図１０は、実施の形態１の変形例における、制御システムにおける、アンビエント度の調整処理を示すフロー図である。
【図１１】図１１は、実施の形態１の変形例における、アンビエント度の調整結果の第一例を示す説明図である。
【図１２】図１２は、実施の形態１の変形例における、アンビエント度の調整結果の第二例を示す説明図である。
【図１３】図１３は、実施の形態２における電子機器を含む制御システムの構成を示すブロック図である。
【図１４】図１４は、実施の形態２における電子機器の制御方法を示すフロー図である。
【発明を実施するための形態】
【００１０】
（本発明の基礎となった知見）
本発明者は、「背景技術」の欄において記載した、コンテンツの検索技術に関し、以下の問題が生じることを見出した。
【００１１】
従来、映像又は音声を含むコンテンツの検索のための検索キーとなるキーワードをユーザから受け付け、キーワードに適合するコンテンツを表示する情報処理装置が開示されている（特許文献１参照）。しかしながら、特許文献１に記載の情報処理装置では、検索キーによるコンテンツの指定をする場合、ユーザが検索キーを想起することを要する。ユーザが検索キーを想起できない場合にはコンテンツを指定することができないという問題がある。
【００１２】
一方、現在のテレビ放送における放送局ごとに編成された番組のグループ、つまり、放送局等の提供者が指定する時刻又は順序で構成されたグループを指定することによってコンテンツを指定することも想定される。しかしながら、ニュース、ドラマ、スポーツ、教養番組、又は、旅番組などの番組の時間及び順序が提供者の都合で編成され、ユーザが所望のタイミングで所望のコンテンツを指定することができないという問題がある。
【００１３】
このように、従来のコンテンツの指定方法は、コンテンツの指定における柔軟性が低いという問題がある。また、コンテンツの指定における柔軟性が低い場合、情報処理装置は、ユーザの意図を反映したコンテンツの決定に失敗することがある。ユーザの意図を反映したコンテンツの決定に失敗すれば、情報処理装置は、再度のコンテンツの指定などの処理を行う必要が生じ、処理負荷及び消費電力の増大を招くという問題がある。
【００１４】
そこで、本発明は、より柔軟なコンテンツの指定を可能とする電子機器等を提供する。
【００１５】
このような問題を解決するために、本発明の一態様に係る電子機器の制御方法は、コンテンツに紐付けられる指標であって、連続値により表現される指標の範囲をユーザから受け付け、受け付けた前記範囲に含まれる指標が紐付けられたコンテンツを取得し、取得した前記コンテンツの再生を制御する。
【００１６】
上記態様によれば、電子機器は、コンテンツに紐付けられた指標を、その指標の範囲でもって指定することで、再生させるコンテンツを指定し得る。その際、ユーザは、検索キーを想起する必要はない。ユーザは、コンテンツに紐付けられた指標の大まかな値を、その範囲でもって指定するだけで、電子機器により再生させるコンテンツを指定し得る。このように、電子機器は、より柔軟なコンテンツの指定を可能とする。また、柔軟なコンテンツの指定を可能とするので、ユーザの意図を反映したコンテンツの決定に失敗した場合における電子機器の処理負荷及び消費電力の増大の問題を未然に回避し得る。
【００１７】
また、従来、音量又は明度などのようにコンテンツに紐付けられた指標についての指定をユーザから受け付け、受け付けた指標に合致する指標を有するコンテンツをユーザに提示することも行われている。しかし、音量又は明度などの指標によるコンテンツの指定は、ピンポイントでの指定であり、ある程度の幅をもったコンテンツの検索には適さないという問題がある。上記態様によれば、音量などの指標をピンポイントで指定する必要もないので、この点でも、電子機器は、より柔軟なコンテンツの指定を可能とする。
【００１８】
例えば、前記指標は、再生されている前記コンテンツに対してユーザが向ける注意の度合いを示す推定指標であってもよい。
【００１９】
上記態様によれば、電子機器は、再生されているコンテンツに対してユーザが向ける注意の度合いを示す推定指標を、具体的に指標として用いることによって、より柔軟なコンテンツの指定を可能とする。
【００２０】
例えば、前記電子機器の制御方法は、さらに、前記コンテンツに含まれる映像に紐付けられる指標である映像指標と、前記コンテンツに含まれる音響に紐付けられる指標である音響指標とを用いて、指標を算出し、算出した前記指標を予め前記コンテンツに紐付けてもよい。
【００２１】
上記態様によれば、電子機器は、コンテンツに含まれる映像と音響とのそれぞれに対してユーザが向ける注意の度合いに基づいて、コンテンツに紐付けられる指標を算出する。これにより、コンテンツに含まれる映像と音響とを考慮してコンテンツの指標を算出することができる。
【００２２】
例えば、前記指標の算出では、前記映像指標と前記音響指標との加重平均により前記指標を算出し、前記加重平均における前記音響指標の重みが前記映像指標の重みより大きくてもよい。
【００２３】
上記態様によれば、電子機器は、映像指標と音響指標とのうちの音響指標の重みを重くした加重平均により、コンテンツに紐付けられる指標を算出する。一般に人が、電子機器が提示する映像に対して意図的に注意を向けないようにすることは比較的容易であるが、音響に対して意図的に注意を向けないようにするのは容易ではない。つまり、電子機器が提示する音響から意図的に注意を背けることは難しいという特徴がある。そこで、コンテンツに紐付けられる指標において、音響に対して人が向ける注意の度合いの寄与を相対的に大きくすることで、コンテンツの指定に用いる指標を、ユーザが向ける注意の度合いについての感覚に即した指標にすることができる。
【００２４】
例えば、前記指標の算出では、前記映像指標と前記音響指標との加重平均により前記指標を算出し、前記加重平均における前記映像指標の重みが前記音響指標の重みより大きくてもよい。
【００２５】
上記態様によれば、電子機器は、映像指標と音響指標とのうちの映像指標の重みを重くした加重平均により、コンテンツに紐付けられる指標を算出する。一般に、コンテンツを表示する表示画面の寸法が大きいと、ユーザは、映像から注意を背けることが難しい。このような場合に、コンテンツに紐付けられる指標において、映像に対して人が向ける注意の度合いの寄与を相対的に大きくすることで、コンテンツの指定に用いる指標を、ユーザが向ける注意の度合いについての感覚に即した指標にすることができる。
【００２６】
例えば、前記指標の算出では、前記映像指標と前記音響指標との加重平均により前記指標を算出し、前記加重平均における前記映像指標の重みが、前記コンテンツに含まれる映像が表示される表示画面の寸法が大きいほど大きくてもよい。
【００２７】
上記態様によれば、電子機器は、コンテンツを表示する表示画面の大きさに基づいて映像指標の重みを重くした加重平均により、コンテンツに紐付けられる指標を算出する。上記のとおり、コンテンツを表示する表示画面の寸法が大きいと、ユーザは、映像から注意を背けることが難しい。しかも、表示画面の寸法が大きいほど、ユーザが映像から注意を背けることが、より一層難しくなる。そこで、コンテンツに紐付けられる指標において、映像に対して人が向ける注意の度合いの寄与を、表示画面の寸法が大きいほど相対的により大きくすることで、コンテンツの指定に用いる指標を、ユーザが向ける注意の度合いについての感覚に即した指標にすることができる。
【００２８】
例えば、前記電子機器の制御方法は、さらに、前記コンテンツに含まれる映像の明度、彩度、色相、又は、シーンチェンジの態様に基づいて前記映像指標を算出してもよい。
【００２９】
上記態様によれば、電子機器は、コンテンツに含まれる映像の明度、彩度、色相、又は、シーンチェンジの態様を具体的に用いて、映像指標を算出し得る。
【００３０】
例えば、前記電子機器の制御方法は、さらに、前記コンテンツに含まれる音響の音量、周波数分布、又は、音量の変化の態様に基づいて前記音響指標を算出してもよい。
【００３１】
上記態様によれば、電子機器は、コンテンツに含まれる音量、周波数分布、又は、音量の変化の態様を具体的に用いて、音響指標を算出し得る。
【００３２】
例えば、前記電子機器の制御方法は、さらに、受け付けた前記範囲を、再生されている前記コンテンツとともに提示してもよい。
【００３３】
上記態様によれば、電子機器は、再生しているコンテンツとともに、当該コンテンツに紐付けられている指標をユーザに提示することで、コンテンツの指標をユーザに認識させることができる。そして、ユーザが電子機器に提示させることを希望するコンテンツと、ユーザが指定した指標の範囲とが適合しているか否かなどについての判断等をユーザにさせることができる。
【００３４】
例えば、前記コンテンツの取得では、（ａ）受け付けた前記範囲に含まれる前記指標が紐付けられたコンテンツであって、映像及び音響のうちの映像のみを含むコンテンツである映像コンテンツと、（ｂ）受け付けた前記範囲に含まれる前記指標が紐付けられたコンテンツであって、映像及び音響のうちの音響のみを含むコンテンツである音響コンテンツと、を取得し、前記再生の制御では、取得した前記映像コンテンツと前記音響コンテンツとをともに再生してもよい。
【００３５】
上記態様によれば、電子機器は、映像コンテンツと音響コンテンツとをともに再生する場合に、再生する映像コンテンツと音響コンテンツとの指標がともに、ユーザが指定した範囲に含まれるものとすることができる。これにより、ユーザは、電子機器により、同じ程度の注意を向けると推定される映像コンテンツと音響コンテンツとをともに再生させることができる。
【００３６】
例えば、前記コンテンツの取得では、前記コンテンツが予め格納されたサーバから前記コンテンツを取得し、前記サーバに予め前記コンテンツを格納する際には、さらに、前記指標を提示してもよい。
【００３７】
上記態様によれば、電子機器は、サーバに予めコンテンツを格納する際に指標を提示することで、コンテンツ提供者に対して、コンテンツに紐付けられた指標を認識させることができる。
【００３８】
例えば、前記サーバに予め前記コンテンツを格納する際には、さらに、格納した前記コンテンツを調整し、調整後のコンテンツについて算出された指標を提示してもよい。
【００３９】
上記態様によれば、電子機器は、コンテンツの調整をしてから調整後のコンテンツの指標をコンテンツ提供者に認識させることができる。コンテンツ提供者は、調整後のコンテンツの指標を認識することで、自身が提供したコンテンツに対してなされた調整の結果を確認し、その結果に基づいてサーバに格納するかどうかの判断をするなどの行動を行うことができる。
【００４０】
また、本発明の一態様に係る電子機器は、電子機器であって、コンテンツに紐付けられる指標であって、連続値により表現される指標の範囲をユーザから受け付ける受付部と、前記受付部が受け付けた前記範囲に含まれる指標が紐付けられたコンテンツを取得する取得部と、前記取得部が取得した前記コンテンツの再生を制御する再生制御部とを備える。
【００４１】
これにより、上記電子機器の制御方法と同様の効果を奏する。
【００４２】
また、本発明の一態様に係る電子機器の制御システムは、上記の電子機器と、サーバとを備える制御システムであって、前記サーバは、前記受付部が受け付けた前記範囲を示す情報を取得し、取得した前記情報に示される前記範囲に含まれる指標が紐付けられたコンテンツを、前記電子機器の前記取得部に提供する提供部を備える。
【００４３】
これにより、上記電子機器の制御方法と同様の効果を奏する。
【００４４】
また、本発明の一態様に係る電子機器のプログラムは、上記の電子機器の制御方法をコンピュータに実行させるためのプログラムである。
【００４５】
これにより、上記電子機器の制御方法と同様の効果を奏する。
【００４６】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムまたは記録媒体の任意な組み合わせで実現されてもよい。
【００４７】
以下、実施の形態について、図面を参照しながら具体的に説明する。
【００４８】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４９】
（実施の形態１）
本実施の形態において、より柔軟なコンテンツの指定を可能とする電子機器などについて説明する。具体的には、本実施の形態の電子機器等は、コンテンツに紐付けられる指標についてのユーザによる範囲の指定を受け付けて、その範囲に含まれる指標が紐付けられたコンテンツを提示することで、より柔軟なコンテンツの指定を可能とする。
【００５０】
図１は、本実施の形態における電子機器１０を含む制御システム１の構成を示すブロック図である。図２は、本実施の形態における電子機器１０の外観の一例を示す斜視図である。なお、電子機器１０について、図２に示されるように上下方向、左右方向、及び、前後方向を定義する。
【００５１】
図１に示されるように、制御システム１は、電子機器１０と、サーバ３０とを備える。
【００５２】
電子機器１０は、取得部１１と、再生制御部１３と、指標取得部１４と、表示画面１５と、スピーカ１６と、受付部１７とを備える。電子機器１０は、例えば、プロセッサ、メモリ、通信インタフェース等を備えるコンピュータに実装され得る。その場合、プロセッサがメモリを用いて所定のコンピュータプログラムを実行することで、上記の各機能が実現され得る。
【００５３】
取得部１１は、サーバ３０からコンテンツのコンテンツデータ及びメタデータを通信によって取得する処理部である。コンテンツデータは、コンテンツそのものの内容をデータ化したものであり、メタデータは、コンテンツの属性情報を含む情報をデータ化したものである。コンテンツデータは、映像データと音響データとを含む。取得部１１は、例えば、コンテンツを取得するための取得要求をサーバ３０に送信し、この取得要求に応じてサーバ３０から提供されるコンテンツのコンテンツデータ及びメタデータを取得する。取得部１１は、通信インタフェースによりネットワークＮを介してサーバ３０に通信可能に接続されている。
【００５４】
取得部１１は、サーバ３０から取得したコンテンツの映像データを映像処理部１３Ａに提供し、また、サーバ３０から取得したコンテンツの音響データを音響処理部１３Ｂに提供する。取得部１１が取得するコンテンツは、受付部１７が受け付ける指標の範囲に含まれる指標が紐付けられたコンテンツである。
【００５５】
なお、取得部１１は、サーバ３０から取得した１以上のコンテンツを予め取得し、一時的に記憶する記憶部１２を備えてもよい。記憶部１２に１以上のコンテンツを記憶しておけば、取得部１１と提供部３４とがネットワークＮに常時接続されている必要がなくなる利点がある。取得部１１が記憶部１２に記憶されている１以上のコンテンツのうちからコンテンツを取得することができるからである。
【００５６】
再生制御部１３は、取得部１１がサーバ３０から取得したコンテンツの再生を制御する処理部である。再生制御部１３は、例えば、取得部１１がサーバ３０から取得したコンテンツの再生の開始及び終了を制御する。また、取得部１１が複数のコンテンツを取得した場合には、取得した複数のコンテンツを所定の順に再生する等の制御をする。再生制御部１３は、映像処理部１３Ａと、音響処理部１３Ｂとを有する。
【００５７】
映像処理部１３Ａは、取得部１１からコンテンツの映像データを取得し、取得した映像データを再生するためのデータを生成する処理部である。映像処理部１３Ａは、具体的には、映像データが符号化又は暗号化されている場合には、映像データを復号する処理等を行い、当該処理後の映像データを表示画面１５に提供する。
【００５８】
音響処理部１３Ｂは、取得部１１からコンテンツの音響データを取得し、取得した音響データを再生するためのデータを生成する処理部である。音響処理部１３Ｂは、具体的には、音響データが符号化又は暗号化されている場合には、音響データを復号する処理等を行い、当該処理後の音響データをスピーカ１６に提供する。
【００５９】
指標取得部１４は、取得部１１からコンテンツのメタデータを取得し、取得したメタデータに含まれる指標を取得する処理部である。指標取得部１４は、取得した指標を表示画面１５又はスピーカ１６に出力する。
【００６０】
メタデータは、予め定められたフォーマットで作成されている。指標取得部１４は、メタデータのフォーマットに従ってメタデータを解析して指標を取得する。指標は、コンテンツに紐付けられる指標であって、連続値により表現される指標である。指標の一例は、再生されているコンテンツに対してユーザが向ける注意の度合いを示す推定指標である。より具体的には、上記指標は、再生されているコンテンツに対してユーザが向ける注意の度合いが大きいほど、より小さな値を有する指標、又は、再生されているコンテンツに対してユーザが向ける注意の度合いが大きいほど、より大きな値を有する指標である。ここで、前者をアンビエント度（Ａｍｂｉｅｎｔ  ｌｅｖｅｌ）ともいい、後者をコンシャス度（Ｃｏｎｓｃｉｏｕｓ  ｌｅｖｅｌ）ともいう。
【００６１】
なお、指標として、再生されているコンテンツに含まれる映像の色彩に関する指標である明度、彩度若しくは色相などを含んでもよいし、再生されているコンテンツに含まれる音響の指標である音量若しくは周波数分布などを含んでもよい。
【００６２】
以降では、指標としてアンビエント度を用いて説明するが、コンシャス度、及び、その他の指標を用いても同様の説明が成立する。また、アンビエント度は、０から１００までの連続値に表現される指標であるとする。アンビエント度が０である場合、ユーザが向けると推定される注意の度合いが最も大きいことを意味し、アンビエント度が１００である場合、ユーザが向けると推定される注意の度合いが最も小さいことを意味する。
【００６３】
表示画面１５は、映像処理部１３Ａから提供される映像データを画像として表示する表示画面である。また、表示画面１５は、指標取得部１４から提供されるアンビエント度を、映像データとともに表示してもよい。
【００６４】
スピーカ１６は、音響処理部１３Ｂから提供される音響データを音として出力する音出力装置である。また、スピーカ１６は、指標取得部１４から提供されるアンビエント度を、音響データとともに音として出力してもよい。
【００６５】
受付部１７は、コンテンツに紐付けられる指標の範囲をユーザから受け付ける処理部である。受付部１７が受け付ける指標の範囲は、例えば、ユーザが電子機器１０により再生させることを希望するコンテンツのアンビエント度の範囲である。受付部１７は、受け付けた指標の範囲を取得部１１に提供する。受付部１７は、具体的には、ユーザが押下などにより操作可能なボタン、又は、ユーザの音声を受け付けるマイクなどのユーザインタフェースと、ユーザインタフェースにより受け付けたユーザの操作又は音声を情報処理することで指標の範囲に変換する処理部とにより実現され得る。なお、受付部１７は、電子機器１０のうちの受付部１７を除く部分（本体部分ともいう）と分離して、本体部分と無線通信するリモコンとして実現されてもよい。
【００６６】
電子機器１０の外観の一例を図２に示す。電子機器１０は、前面に表示画面１５を備える。また、電子機器１０は、下部左側及び下部右側の２箇所にスピーカ１６を備える。電子機器１０は、表示画面１５及びスピーカ１６を用いてコンテンツを再生し、ユーザに提示する。なお、図２に示す電子機器１０の外観は、あくまで一例であり、表示画面１５及びスピーカ１６の個数、又は、配置される位置若しくは向き等はこれに限定されない。
【００６７】
サーバ３０は、格納部３１と、記憶部３３と、提供部３４とを備える。サーバ３０は、例えば、プロセッサ、メモリ、通信インタフェース等を備えるコンピュータに実装され得る。その場合、プロセッサがメモリを用いて所定のコンピュータプログラムを実行することで、上記の各機能が実現され得る。
【００６８】
格納部３１は、コンテンツのコンテンツデータを記憶部３３に格納する処理部である。格納部３１は、記憶部３３にコンテンツデータを格納する際に、格納すべきコンテンツに指標つまりアンビエント度を紐付けて記憶部３３に格納してもよい。格納部３１は、例えば、コンテンツを所持するコンテンツ提供者等から記憶媒体及びユーザインタフェース等を通じてコンテンツデータを提供され、提供されたコンテンツデータを記憶部３３に格納する。また、格納部３１は、コンテンツのコンテンツデータとともにコンテンツのアンビエント度をユーザから提供されてもよく、その場合、提供されたアンビエント度をコンテンツデータとともに記憶部３３に格納してもよい。ここで、ユーザインタフェースとは、キーボード、マウス、タッチパネルディスプレイなどである。
【００６９】
また、格納部３１は、指標算出部３２を有する。指標算出部３２は、格納すべきコンテンツに指標であるアンビエント度が紐付けられていない場合にアンビエント度を算出して、当該コンテンツに紐付ける処理部である。
【００７０】
コンテンツに紐付けられるアンビエント度は、コンテンツの映像部分に紐付けられるアンビエント度である映像アンビエント度と、コンテンツの音響部分に紐付けられるアンビエント度である音響アンビエント度と、から算出され得る。なお、映像アンビエント度は、映像指標の一例である。音響アンビエント度は、音響指標の一例である。
【００７１】
指標算出部３２は、例えば、コンテンツの映像の明度、彩度若しくは色相、又は、シーンチェンジの態様に基づいて映像アンビエント度を算出してもよい。より具体的には、以下のように算出する。
【００７２】
・コンテンツの映像の明度が高いほど、より低いアンビエント度を算出する。
・コンテンツの映像の彩度が高いほど、より低いアンビエント度を算出する。
・コンテンツの映像の色彩に基づいて、青又は紫のような寒色の色が多いほど、より高いアンビエントを算出し、赤、橙又は黄のような暖色の色が多いほど、より低いアンビエント度を算出する。
・映像のシーンチェンジが多いほど、より低いアンビエント度を算出する。
・シーンチェンジの際の映像の切り替えの態様として、一のシーンからその次のシーンへの切り替えの際に、フェードアウト、フェードイン又はクロスフェードのように画像が徐々に切り変わることが多いほど、より高いアンビエント度を算出する。一のシーンからその次のシーンへの切り替えの際に、画像が急に切り替えられることが多いほど、より低いアンビエント度を算出する。
【００７３】
また、指標算出部３２は、例えば、コンテンツの音響の音量、音の周波数分布、又は、音量の変化の態様に基づいて音響アンビエント度を算出してもよい。より具体的には、以下のように算出する。
【００７４】
・コンテンツの音響の音量が大きいほど、より低いアンビエント度を算出する。
・コンテンツの音響の周波数分布について、高音域（例えば１ｋＨｚ〜２０ｋＨｚ程度）又は低音域（例えば２０Ｈｚ〜２００Ｈｚ程度）の音が多いほど、より高いアンビエント度を算出し、中音域（例えば２００Ｈｚ〜１ｋＨｚ程度）が多いほど、より低いアンビエント度を算出する。
・音量の変化が急峻であるほど、より高いアンビエント度を算出する。
【００７５】
なお、映像アンビエント度と音響アンビエント度とからコンテンツのアンビエント度を算出する方法は、任意の方法を採用し得るが、例えば、平均又は加重平均を用いることができる。例えば、加重平均の重みを０から１までの範囲とし、映像アンビエント度の重みをαとすると、コンテンツのアンビエント度は、下記（式１）のように表わされる。
【００７６】
コンテンツのアンビエント度
＝α×（映像アンビエント度）＋（１−α）×（音響アンビエント度）    （式１）
【００７７】
ここで、映像アンビエント度と音響アンビエントとの重み付けは、例えば、以下のように定められる。
【００７８】
（１）音響アンビエント度の重みを大きくする場合
一般に人が、電子機器１０等が提示する映像に対して意図的に注意を向けないようにするには、目を瞑る、又は、目若しくは身体の向きを変えること等をすればよく、比較的容易である。一方、人が、電子機器１０等が提示する音響に対して意図的に注意を向けないようにするには、耳を塞ぐなどの方法があり得るが、あまり容易ではなく、また仮に耳を塞いだとしても完全にユーザが感ずる音響をなくすことは難しい。従って、ユーザは、コンテンツの映像部分に関しては、映像アンビエント度に無関係に、意図的に注意を背けることができるが、コンテンツの音響部分に関しては、注意の度合いが音響アンビエント度に近いものにならざるを得ない。
【００７９】
そこで、音響アンビエント度の重みを映像アンビエント度の重みより重くする、つまり、αを０．５より小さい値にすることが有効である。このようにすると、コンテンツに紐付けられるアンビエント度において、音響に対して人が向ける注意の度合いの寄与を相対的に大きくすることで、コンテンツに紐付けられるアンビエント度の振る舞いを、ユーザが向ける注意の度合いについての感覚に近づけることができる。
【００８０】
（２）映像アンビエント度の重みを大きくする場合
人間が、電子機器１０が提示する映像に対して注意を向けないようにするのは比較的容易であると述べたが、表示画面１５の寸法が大きいと、電子機器１０が提示する映像から注意を背けることが難しくなる。
【００８１】
そこで、コンテンツが表示されると想定される表示画面１５の寸法が大きいほど、映像アンビエント度の重みを大きくすることが有効である。
【００８２】
また、コンテンツが表示されると想定される表示画面１５の寸法に閾値を設け、その閾値を超える寸法の表示画面１５によってコンテンツが表示されると想定される場合には、映像アンビエント度の重みを、音響アンビエント度の重みより重くする、つまり、αが０．５より大きくすることも有効である。この閾値は、例えば、表示画面１５の対角線の長さで５０インチ、又は、７０インチ程度とすることができる。
【００８３】
このようにすると、コンテンツに紐付けられる指標において、映像に対して人が向ける注意の度合いの寄与を相対的に大きくすることで、コンテンツに紐付けられるアンビエント度の振る舞いを、ユーザが向ける注意の度合いについての感覚に近づけることができる。
【００８４】
なお、αは、制御システム１の運用者、コンテンツの提供者、又は、ユーザによる入力により変動できるようにしてもよい。このようにすることで、制御システム１の運用者等が柔軟に映像アンビエント度と音響アンビエント度との重みを変化させることができる。その結果、ユーザの感覚に適合した、より柔軟なコンテンツの指定が可能となる利点がある。
【００８５】
記憶部３３は、格納部３１によりコンテンツのコンテンツデータ及びメタデータが格納される記憶装置である。記憶部３３に格納されたコンテンツデータ及びメタデータは、提供部３４によって読み出される。
【００８６】
提供部３４は、記憶部３３に格納されたコンテンツデータ及びメタデータを通信によって電子機器１０に提供する処理部である。コンテンツデータは、映像データと音響データとを含む。例えば、提供部３４は、電子機器１０の取得部１１からコンテンツの取得要求を受信し、受信した取得要求に応じてコンテンツのコンテンツデータ及びメタデータを送信する。受信した取得要求にアンビエント度の範囲が含まれている場合には、その範囲に含まれるアンビエント度が紐付けられたコンテンツを選択して電子機器１０に提供する。提供部３４は、通信インタフェースによりネットワークＮを介して電子機器１０に通信可能に接続されている。
【００８７】
図３は、本実施の形態における電子機器１０が再生するコンテンツの一例を示す説明図である。図３を参照しながら、電子機器１０により再生され得るコンテンツと、その再生の態様について説明する。
【００８８】
図３に示される、電子機器１０により再生されるコンテンツ４０は、波紋の映像を含む映像コンテンツである。電子機器１０により再生され得るコンテンツにはさまざまなコンテンツが有り得るが、ユーザによって注視されることは必ずしも想定されていない。すなわち、電子機器１０により再生されるコンテンツ４０は、ユーザが、ニュース又は教養等に関する情報を取得したり、娯楽を得たりするために注視することが想定されるコンテンツであることは必ずしも想定されていない。電子機器１０により再生されるコンテンツは、壁に飾られた絵画、又は、壁紙、床若しくは天井の一部のように、環境の一部を形成することが想定される。
【００８９】
また、電子機器１０の表示画面１５によりコンテンツ４０が再生されるときには、コンテンツ４０とともに、アンビエント度に関する画像４５が表示されてもよい。画像４５は、コンテンツ４０のアンビエント度を示す画像４６、及び、受付部１７により受け付けたアンビエント度の範囲を示す画像４７の少なくとも一方を含んでいてもよい。なお、画像４５は、常に表示されてもよいし、受付部１７が受け付けるユーザの操作又は音声により「表示する」又は「表示しない」が切り替えられてもよいし、コンテンツの再生開始後の所定時間内又はコンテンツの再生終了前の所定時間内だけ表示されるようにしてもよい。アンビエント度に関してユーザに注意を向けさせないためには、ユーザの操作又は音声により「表示しない」に設定されるのが好ましい。
【００９０】
コンテンツ４０とともに画像４５が表示されることで、ユーザは、再生されているコンテンツ４０とともに画像４５を視認する。ユーザは、画像４６を視認すれば、現在再生されているコンテンツ４０のアンビエント度を認識することができる。また、ユーザは、画像４７を視認すれば、自身が指定しているアンビエント度の範囲を認識することができる。これらを認識することで、ユーザは、例えば、指定しているアンビエント度を現在より高く又は低く変更することを受付部１７を通じて電子機器１０に指示することができる。
【００９１】
なお、アンビエント度に関する画像４５を提示することに代えて、又は、ともに、アンビエント度に関する音声をスピーカ１６により出力してもよく、上記と同様の効果が得られる。なお、アンビエント度に関する音声を出力する場合、受付部１７が受け付けるユーザの操作又は音声により「音声出力する」又は「音声出力しない」が切り替えられてもよいし、コンテンツの再生開始後の所定時間内又はコンテンツの再生終了前の所定時間内だけ表示されるようにしてもよい。アンビエント度に関してユーザに注意を向けさせないためには、ユーザの操作又は音声により「音声出力しない」に設定されるのが好ましい。
【００９２】
図４は、本実施の形態におけるメタデータの一例を示す説明図である。図４に示されるメタデータ５０は、１つのコンテンツに対して１つ存在するものであり、時間、作者、アンビエント度、映像アンビエント度、又は、音響アンビエント度の各情報を含む。
【００９３】
時間は、当該コンテンツが再生される際の時間長を示す情報である。
【００９４】
作者は、当該コンテンツの作者を示す情報であり、作者の氏名、連絡先を示す情報などを含む情報である。
【００９５】
アンビエント度は、当該コンテンツに紐付けられるアンビエント度である。
【００９６】
映像アンビエント度は、当該コンテンツに含まれる映像部分に紐付けられるアンビエント度である。
【００９７】
音響アンビエント度は、当該コンテンツに含まれる音響部分に紐付けられるアンビエント度である。
【００９８】
このように、コンテンツのアンビエント度等は、メタデータによって設定され得る。
【００９９】
図５は、本実施の形態におけるコンテンツデータとメタデータとの対応付けの一例を示す対応テーブル５５の説明図である。図５に示される対応テーブル５５は、１以上のコンテンツのそれぞれと、当該コンテンツに対応付けられるメタデータとを示すテーブルである。
【０１００】
例えば、図５に示される対応テーブル５５の１つ目のエントリは、コンテンツデータ「ｃｏｎ１．ｄａｔ」にメタデータ「ｃｏｎ１＿ｍｅｔａ．ｄａｔ」が対応付けられていることを示している。他のエントリについても同様である。
【０１０１】
このように、対応テーブル５５によって、一のコンテンツについてのコンテンツデータとメタデータとが対応付けられている。これにより、コンテンツに当該コンテンツのアンビエント度が紐付けられている。
【０１０２】
図６は、本実施の形態における制御システム１における、アンビエント度の設定処理を示すフロー図である。この設定処理は、例えば、コンテンツ提供者がサーバ３０の記憶部３３に予めコンテンツを格納する際に行われる処理である。
【０１０３】
ステップＳ１０１において、格納部３１は、コンテンツ提供者から、コンテンツのコンテンツデータの提供を受ける。このとき、コンテンツデータとともにメタデータが提供されてもよい。提供されるメタデータには、アンビエント度が設定されていてもよいし、されていなくてもよい。
【０１０４】
ステップＳ１０２において、指標算出部３２は、ステップＳ１０１で提供されたコンテンツにアンビエント度が紐付けられているか否かを判定する。この判定では、ステップＳ１０１で提供されたコンテンツデータとともに、アンビエント度を含むメタデータが提供された場合に、コンテンツにアンビエント度が紐付けられていると判定する。それ以外の場合、例えば、メタデータが提供されない場合、又は、提供されたメタデータにアンビエント度が含まれていない場合には、コンテンツにアンビエント度が紐付けられていないと判定する。コンテンツにアンビエント度が紐付けられていると判定した場合（ステップＳ１０２でＹｅｓ）には、ステップＳ１０７に進み、そうでない場合（ステップＳ１０２でＮｏ）には、ステップＳ１０３に進む。
【０１０５】
ステップＳ１０３において、指標算出部３２は、ステップＳ１０１で提供されたコンテンツの映像アンビエント度を算出する。
【０１０６】
ステップＳ１０４において、指標算出部３２は、ステップＳ１０１で提供されたコンテンツの音響アンビエント度を算出する。
【０１０７】
ステップＳ１０５において、指標算出部３２は、ステップＳ１０３で算出された映像アンビエント度と、ステップＳ１０４で算出された音響アンビエント度とに基づいて、コンテンツのアンビエント度を算出する。
【０１０８】
ステップＳ１０６において、指標算出部３２は、ステップＳ１０３〜Ｓ１０５で算出した映像アンビエント度、音響アンビエント度、及びアンビエント度を記載したメタデータ５０を生成する。なお、既にメタデータ５０が存在している場合には、上記アンビエント度等を記載することでメタデータ５０を更新する。
【０１０９】
ステップＳ１０７において、格納部３１は、コンテンツのコンテンツデータ及びメタデータを記憶部３３に格納する。また、格納したコンテンツデータとメタデータとの対応付けを、対応テーブル５５に登録する。
【０１１０】
以上の一連の処理により、サーバ３０は、予め、つまり、取得部１１に提供する前にコンテンツを記憶部３３に記憶させる。
【０１１１】
図７は、本実施の形態における制御システム１における、コンテンツの再生処理を示すフロー図である。
【０１１２】
ステップＳ２０１において、受付部１７は、ユーザからアンビエント度の範囲を受け付ける。受け付けるアンビエント度の範囲は、例えば、電子機器１０によって再生することをユーザが希望するアンビエント度の範囲である。受付部１７は、受け付けるアンビエント度の範囲の下限値及び上限値を受け付けることで、例えば５０〜７０又は７０〜１００というようにその範囲を受け付ける。ここで、下限値と上限値とが一致すること、つまり、アンビエント度の範囲が一の値のみを指すことは想定されていない。
【０１１３】
ステップＳ２０２において、取得部１１は、コンテンツの取得要求の中に、ステップＳ２０１で受け付けた範囲を示す情報を含めて、サーバ３０の提供部３４に送信する。
【０１１４】
ステップＳ２０３において、ステップＳ２０２で送信した取得要求に応じてサーバ３０の提供部３４が送信したコンテンツを取得する。取得するコンテンツは、ステップＳ２０１で受け付けたアンビエント度の範囲に含まれるアンビエント度が紐付けられたコンテンツである。このとき、提供部３４は、受信した取得要求に含まれる範囲を示す情報を取得し、この範囲に含まれるアンビエントが紐付けられたコンテンツを記憶部３３から選択して取得部１１に提供する。
【０１１５】
ステップＳ２０４において、映像処理部１３Ａ及び音響処理部１３Ｂは、それぞれ、ステップＳ２０２で取得部１１が取得したコンテンツデータに含まれる映像データ及び音響データを、表示画面１５及びスピーカ１６により再生する。
【０１１６】
なお、取得要求に含まれる範囲に含まれるアンビエント度が紐付けられたコンテンツが複数ある場合には、複数のコンテンツを順番に再生する。再生する順序は、さまざまな順序を採用し得る。例えば、制御システム１の運用者又はコンテンツの提供者などにより定められた順序としてもよいし、コンテンツが格納部３１に格納された時間の順序としてもよい。また、過去の同一又は類似の範囲でコンテンツを取得及び再生したことがある場合には、その過去の再生が終了した時点から再生を再開してもよい。また、ランダムな順序としてもよい。
【０１１７】
図７に示される一連の処理により、電子機器１０は、ユーザから受け付けたアンビエント度の範囲に属するコンテンツを再生することができる。このように、電子機器１０及び制御システム１は、より柔軟なコンテンツの指定を可能とする。
【０１１８】
なお、上記ステップＳ２０１において、ユーザからアンビエント度の範囲を受け付ける際には、アンビエント度の範囲を示す「グループ」によって受け付けてもよい。グループについて図８を参照しながら説明する。
【０１１９】
図８は、本実施の形態における、アンビエント度の範囲とグループとの関係を示すグループテーブル６０の説明図である。図８には、それぞれがアンビエント度の範囲に対応付けられた４つのグループが示されている。
【０１２０】
例えば、図８に示されるグループ１は、アンビエント度の範囲が７０〜１００であるコンテンツが属するグループであり、コンテンツＡ、Ｂ及びＥが属している。また、グループ２は、アンビエント度の範囲が５０〜７０であるコンテンツが属するグループであり、コンテンツＣ及びＺが属している。他のグループについても同様である。なお、複数のグループのアンビエント度の範囲に属するアンビエント度が紐付けられたコンテンツが、その複数のグループのどちらに属するか等は、任意に定められ得る。例えば、図８に示される例では、アンビエント度が７０であるコンテンツがグループ１とグループ２とのどちらに属するかは任意に定められ得る。具体的には、アンビエント度が高い方のグループであるグループ１に属するようにしてもよいし、アンビエント度が低い方のグループであるグループ２に属するようにしてもよいし、グループ１及び２の両方に属するようにしてもよい。なお、グループ間でアンビエント度の範囲が重なってもよく、具体的には、グループ２のアンビエント度を「５０〜８０」としてもよい。
【０１２１】
グループを用いる場合には、上記ステップＳ２０１において、受付部１７は、ユーザからグループＩＤを受け付ける。グループＩＤとアンビエント度の範囲とはグループテーブル６０によって対応付けられているので、受け付けたグループＩＤは、アンビエント度の範囲に変換され得る。
【０１２２】
そして、上記ステップＳ２０２において、取得部１１は、ユーザから受け付けたグループＩＤに属しているコンテンツ、つまり、ユーザから受け付けたグループＩＤにグループテーブル６０により対応付けられたアンビエント度の範囲に含まれるアンビエント度が紐付けられたコンテンツを取得する。
【０１２３】
例えば、上記ステップＳ２０１において受付部１７がグループＩＤとして２を受け付けた場合、取得部１１は、グループＩＤが２である、つまりアンビエント度の範囲５０〜７０に属するコンテンツであるコンテンツＣ及びＺをサーバ３０から受信する。
【０１２４】
このようにすることで、ユーザがアンビエント度の範囲の上限値及び下限値を明示的に詳細に指定することなく、より簡易な指定によりコンテンツを指定することができる。
【０１２５】
なお、取得部１１は、コンテンツを取得する際に、受け付けたアンビエント度の範囲に含まれる指標が紐付けられた映像コンテンツと音響コンテンツとを取得してもよい。そして、再生制御部１３は、取得したこれらの映像コンテンツと音響コンテンツとをともに再生してもよい。ここで、映像コンテンツとは、映像及び音響のうちの映像のみを含むコンテンツをいい、音響コンテンツとは、映像及び音響のうちの音響のみを含むコンテンツをいう。
【０１２６】
なお、サーバ３０が保有するコンテンツそれぞれについて、電子機器１０によって再生された回数などの統計情報を収集することもできる。そして、収集した統計情報をそのコンテンツの提供者にフィードバックすることにしてもよい。このようにすることで、コンテンツ提供者に対してコンテンツの再生回数などの統計情報を提供できるとともに、コンテンツの生成の際の参考情報として活用できる利点がある。
【０１２７】
なお、ここでは、電子機器１０の取得部１１が、サーバ３０の指標算出部３２により算出された指標を取得する構成について説明したが、指標算出部３２は、電子機器１０に備えられていてもよい。その場合、例えば、取得部１１がサーバ３０からコンテンツのコンテンツデータを取得した後に、取得したコンテンツの指標を指標算出部３２が算出するようにしてもよい。このようにすれば、電子機器１０により取得されるより前に予め指標を算出しておく必要がなくなり、電子機器１０により取得されたコンテンツだけに対して指標を算出すればよいことになる。よって、制御システム１全体で見た場合の指標の算出処理を軽減することができる利点がある。
【０１２８】
（実施の形態１の変形例）
本変形例において、より柔軟なコンテンツの指定を可能とする電子機器及び制御システムについて、サーバにコンテンツを格納する際に指標を調整する技術について説明する。
【０１２９】
本変形例の制御システム１は、サーバ３０Ａの構成が、実施の形態１におけるサーバ３０とは異なる。実施の形態１と異なる部分について以降で説明する。なお、上記実施の形態と同じ構成要素については、同じ符号を付し、詳細な説明を省略する。
【０１３０】
図９は、本変形例におけるサーバ３０Ａの構成を示すブロック図である。
【０１３１】
図９に示されるように、サーバ３０Ａは、格納部３１Ａと、記憶部３３と、提供部３４と、提示部３６とを備える。また、格納部３１Ａは、指標算出部３２に加えて、調整部３５を備える。サーバ３０Ａは、サーバ３０と同様に、例えば、プロセッサ、メモリ、通信インタフェース等を備えるコンピュータに実装され得る。その場合、プロセッサがメモリを用いて所定のコンピュータプログラムを実行することで、上記の各機能が実現され得る。
【０１３２】
調整部３５は、格納部３１Ａが記憶部３３に格納すべきコンテンツの調整をする処理部である。調整部３５は、コンテンツを調整することで、コンテンツのアンビエント度を変化させる。具体的には、調整部３５は、コンテンツに含まれる映像の明度、彩度若しくは色彩など、又は、シーンチェンジの態様、再生されているコンテンツに含まれる音響の音量若しくは周波数分布などを変更することで、コンテンツの調整を行う。
【０１３３】
提示部３６は、格納部３１Ａによりコンテンツを格納する際に、格納すべきコンテンツの指標を画像の表示、又は、音の出力により出力する出力装置である。提示部３６は、表示画面又はスピーカなどを備える。
【０１３４】
図１０は、本変形例における、制御システム１における、アンビエント度の調整処理を示すフロー図である。図１１及び図１２は、本変形例における、アンビエント度の調整結果の一例を示す説明図である。図１０〜図１２を参照しながらアンビエント度の調整処理について説明する。なお、図１０に示される処理は、実施の形態１の図６の処理に代えて行われる処理である。
【０１３５】
ステップＳ３０１において、格納部３１Ａは、コンテンツのコンテンツデータをコンテンツ提供者から提供される。このとき、実施の形態１のステップＳ１０１と同様、コンテンツデータとともにメタデータを提供されてもよい。メタデータの内部に指標が設定されていてもよいし、されていなくてもよい。
【０１３６】
ステップＳ３０２において、指標算出部３２は、ステップＳ３０１で提供されたコンテンツに指標が紐付けられているか否かを判定する。この処理は、実施の形態１のステップＳ１０２と同様である。コンテンツに指標が紐付けられていると判定した場合（ステップＳ３０２でＹｅｓ）には、ステップＳ３０４に進み、そうでない場合（ステップＳ３０２でＮｏ）には、ステップＳ３０３に進む。
【０１３７】
ステップＳ３０３において、指標算出部３２は、コンテンツの映像アンビエント度、音響アンビエント度、及びアンビエント度を算出する。この処理は、実施の形態１のステップＳ１０３、Ｓ１０４及びＳ１０５の処理と同じである。
【０１３８】
ステップＳ３０４において、指標算出部３２は、ステップＳ３０３で算出したアンビエント度などを提示部３６により提示する。
【０１３９】
ステップＳ３０５において、調整部３５は、コンテンツの調整を行う。具体的には、調整部３５は、画像処理又は音響処理により、コンテンツに含まれる映像の明度、彩度若しくは色彩など、又は、シーンチェンジの態様、再生されているコンテンツに含まれる音響の音量若しくは周波数分布などを変更することで、コンテンツの調整を行う。これにより、調整部３５は、ステップＳ３０１で提供されたコンテンツのアンビエント度を変化させた、新たなコンテンツを生成する。なお、ステップＳ３０５の調整が行われた後のコンテンツを「調整後のコンテンツ」ともいう。これに対して、ステップＳ３０５の調整が行われる前のコンテンツ、つまり、ステップＳ３０１でコンテンツ提供者から提供されたコンテンツを「調整前のコンテンツ」ともいう。
【０１４０】
例えば、図３に示される波紋の映像のコンテンツの明度を低下させることでコンテンツのアンビエント度を上昇させる例を図１１及び図１２を参照しながら説明する。
【０１４１】
図１１及び１２は、それぞれ、図３に示されるコンテンツ４０の明度を低下させることでアンビエント度を上昇させたコンテンツ４０Ａ及び４０Ｂを示している。コンテンツ４０Ａは、コンテンツ４０より明度が低く、コンテンツ４０Ｂは、コンテンツ４０Ａより明度が低い。よって、コンテンツ４０、４０Ａ、４０Ｂと進むほど、明度が低下し、ユーザが注意を向けると推定される度合いが低くなる。
【０１４２】
なお、ステップＳ３０５におけるコンテンツの調整は、コンテンツ提供者が許容するときのみ行うようにしてもよい。その場合、ステップＳ３０４でコンテンツのアンビエント度を提示するときに、併せてコンテンツの調整を行うことをコンテンツ提供者が許容するか否かを示す許否情報を受け付けるようにし、コンテンツの調整をコンテンツ提供者が許容することを示す許否情報を受け付けた場合にのみ、コンテンツの調整を行う。これにより、コンテンツ提供者の意図に反してコンテンツの調整を行うことが回避される利点がある。
【０１４３】
ステップＳ３０６において、指標算出部３２は、調整後のコンテンツのアンビエント度を算出する。この処理の内容はステップＳ３０４と同じである。
【０１４４】
ステップＳ３０７において、指標算出部３２は、調整後のコンテンツと、ステップＳ３０６で算出した指標とを提示部３６によりコンテンツ提供者に提示する。このとき、コンテンツ及びアンビエント度とともに、提示しているコンテンツを、後に電子機器１０により再生するためのコンテンツとして記憶部３３に記憶するか否かを許容するか否かを問い合わせるメッセージを提示してもよい。
【０１４５】
ステップＳ３０８において、指標算出部３２は、ステップＳ３０７で提示したコンテンツを記憶部３３に記憶することをコンテンツ提供者が許容するか否かを示す許否情報を取得する。これは、ステップＳ３０７でメッセージを提示部３６により提示した場合には、このメッセージに対する回答として取得することができる。
【０１４６】
ステップＳ３０９において、格納部３１Ａは、ステップＳ３０８で取得した許否情報が、調整後のコンテンツを記憶部３３に格納することをコンテンツ提供者が許容することを示しているか否かを判定する。コンテンツ提供者が許容することを示している場合にはステップＳ３１０に進み、そうでない場合には、ステップＳ３１１に進む。
【０１４７】
ステップＳ３１０において、格納部３１Ａは、調整前のコンテンツと、調整後のコンテンツとのそれぞれのコンテンツデータ及びメタデータを記憶部３３に格納する。
【０１４８】
ステップＳ３１１において、格納部３１Ａは、調整前のコンテンツのコンテンツデータ及びメタデータを記憶部３３に格納する。このとき、調整後のコンテンツのコンテンツデータ及びメタデータは記憶部３３に格納されない。
【０１４９】
ステップＳ３１０又はＳ３１１を終了したら、図１０に示される一連の処理を終了する。ステップＳ３１０又はＳ３１１において記憶部３３に格納されたコンテンツデータ及びメタデータは、電子機器１０により取得され再生され得るコンテンツとなる。
【０１５０】
図１０に示される一連の処理により、コンテンツ提供者から提供されたコンテンツの調整を行うことで、一のコンテンツから、アンビエント度が異なる複数のコンテンツを生成し、これらを電子機器１０により再生され得るコンテンツとして得ることができる。また、その際に、コンテンツ提供者の意図に反してコンテンツの調整が行われること、及び、コンテンツ提供者の意図に反した内容の調整がコンテンツに対して行われることを回避できる。
【０１５１】
以上のように、本実施の形態及び本変形例に示される電子機器の制御方法によれば、電子機器は、コンテンツに紐付けられた指標を、その指標の範囲でもって指定することで、再生させるコンテンツを指定し得る。その際、ユーザは、検索キーを想起する必要はない。ユーザは、コンテンツに紐付けられた指標の大まかな値を、その範囲でもって指定するだけで、電子機器により再生させるコンテンツを指定し得る。このように、電子機器は、より柔軟なコンテンツの指定を可能とする。また、柔軟なコンテンツの指定を可能とするので、ユーザの意図を反映したコンテンツの決定に失敗した場合における電子機器の処理負荷及び消費電力の増大の問題を未然に回避し得る。
【０１５２】
また、電子機器は、再生されているコンテンツに対してユーザが向ける注意の度合いを示す推定指標を、具体的に指標として用いることによって、より柔軟なコンテンツの指定を可能とする。
【０１５３】
また、電子機器は、コンテンツに含まれる映像と音響とのそれぞれに対してユーザが向ける注意の度合いに基づいて、コンテンツに紐付けられる指標を算出する。これにより、コンテンツに含まれる映像と音響とを考慮してコンテンツの指標を算出することができる。
【０１５４】
また、電子機器は、映像指標と音響指標とのうちの音響指標の重みを重くした加重平均により、コンテンツに紐付けられる指標を算出する。一般に人が、電子機器が提示する映像に対して意図的に注意を向けないようにすることは比較的容易であるが、音響に対して意図的に注意を向けないようにするのは容易ではない。つまり、電子機器が提示する音響から意図的に注意を背けることは難しいという特徴がある。そこで、コンテンツに紐付けられる指標において、音響に対して人が向ける注意の度合いの寄与を相対的に大きくすることで、コンテンツの指定に用いる指標を、ユーザが向ける注意の度合いについての感覚に即した指標にすることができる。
【０１５５】
また、電子機器は、映像指標と音響指標とのうちの映像指標の重みを重くした加重平均により、コンテンツに紐付けられる指標を算出する。一般に、コンテンツを表示する表示画面の寸法が大きいと、ユーザは、映像から注意を背けることが難しい。このような場合に、コンテンツに紐付けられる指標において、映像に対して人が向ける注意の度合いの寄与を相対的に大きくすることで、コンテンツの指定に用いる指標を、ユーザが向ける注意の度合いについての感覚に即した指標にすることができる。
【０１５６】
また、電子機器は、コンテンツを表示する表示画面の大きさに基づいて映像指標の重みを重くした加重平均により、コンテンツに紐付けられる指標を算出する。上記のとおり、コンテンツを表示する表示画面の寸法が大きいと、ユーザは、映像から注意を背けることが難しい。しかも、表示画面の寸法が大きいほど、ユーザが映像から注意を背けることが、より一層難しくなる。そこで、コンテンツに紐付けられる指標において、映像に対して人が向ける注意の度合いの寄与を、表示画面の寸法が大きいほど相対的により大きくすることで、コンテンツの指定に用いる指標を、ユーザが向ける注意の度合いについての感覚に即した指標にすることができる。
【０１５７】
また、電子機器は、コンテンツに含まれる映像の明度、彩度、色相、又は、シーンチェンジの態様を具体的に用いて、映像指標を算出し得る。
【０１５８】
また、電子機器は、コンテンツに含まれる音量、周波数分布、又は、音量の変化の態様を具体的に用いて、音響指標を算出し得る。
【０１５９】
また、電子機器は、再生しているコンテンツとともに、当該コンテンツに紐付けられている指標をユーザに提示することで、コンテンツの指標をユーザに認識させることができる。そして、ユーザが電子機器に提示させることを希望するコンテンツと、ユーザが指定した指標の範囲とが適合しているか否かなどについての判断等をユーザにさせることができる。
【０１６０】
また、電子機器は、映像コンテンツと音響コンテンツとをともに再生する場合に、再生する映像コンテンツと音響コンテンツとの指標がともに、ユーザが指定した範囲に含まれるものとすることができる。これにより、ユーザは、電子機器により、同じ程度の注意を向けると推定される映像コンテンツと音響コンテンツとをともに再生させることができる。
【０１６１】
また、電子機器は、サーバに予めコンテンツを格納する際に指標を提示することで、コンテンツ提供者に対して、コンテンツに紐付けられた指標を認識させることができる。
【０１６２】
また、電子機器は、コンテンツの調整をしてから調整後のコンテンツの指標をコンテンツ提供者に認識させることができる。コンテンツ提供者は、調整後のコンテンツの指標を認識することで、自身が提供したコンテンツに対してなされた調整の結果を確認し、その結果に基づいてサーバに格納するかどうかの判断をするなどの行動を行うことができる。
【０１６３】
（実施の形態２）
本実施の形態では、上記の実施の形態又は変形例に示した電子機器の構成、及び、電子機器の制御方法について説明する。
【０１６４】
図１３は、本実施の形態における電子機器７０を含む制御システムの構成を示すブロック図である。
【０１６５】
図１３に示されるように、電子機器７０は、受付部７１と、取得部７２と、再生制御部７３とを備える。
【０１６６】
受付部７１は、コンテンツに紐付けられる指標であって、連続値により表現される指標の範囲をユーザから受け付ける。
【０１６７】
取得部７２は、受付部７１が受け付けた範囲に含まれる指標が紐付けられたコンテンツを取得する。
【０１６８】
再生制御部７３が取得したコンテンツの再生を制御する。
【０１６９】
図１４は、本実施の形態における電子機器７０の制御方法を示すフロー図である。
【０１７０】
図１４に示されるように、電子機器７０の制御方法は、ステップＳ１〜Ｓ３を含む。
【０１７１】
ステップＳ１において、コンテンツに紐付けられる指標であって、連続値により表現される指標の範囲をユーザから受け付ける。
【０１７２】
ステップＳ２において、受け付けた範囲に含まれる指標が紐付けられたコンテンツを取得する。
【０１７３】
ステップＳ３において、取得したコンテンツの再生を制御する。
【０１７４】
これにより、電子機器７０は、より柔軟なコンテンツの指定を可能とする。
【０１７５】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の電子機器などを実現するソフトウェアは、次のようなプログラムである。
【０１７６】
すなわち、このプログラムは、コンピュータに、コンテンツに紐付けられる指標であって、連続値により表現される指標の範囲をユーザから受け付け、受け付けた前記範囲に含まれる指標が紐付けられたコンテンツを取得し、取得した前記コンテンツの再生を制御する電子機器の制御方法を実行させる。
【０１７７】
以上、一つまたは複数の態様に係る電子機器などについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１７８】
本発明は、より柔軟なコンテンツの指定を可能とする電子機器及び制御方法等に利用可能である。
【符号の説明】
【０１７９】
１、２    制御システム
１０、７０    電子機器
１１、７２    取得部
１２、３３    記憶部
１３、７３    再生制御部
１３Ａ    映像処理部
１３Ｂ    音響処理部
１４    指標取得部
１５    表示画面
１６    スピーカ
１７、７１    受付部
３０、３０Ａ、７５    サーバ
３１、３１Ａ    格納部
３２    指標算出部
３４、７６    提供部
３５    調整部
３６    提示部
４０、４０Ａ、４０Ｂ    コンテンツ
４５、４６、４７    画像
５０    メタデータ
５５    対応テーブル
６０    グループテーブル
Ｎ    ネットワーク
【図１】
2020065098.tif 000003
【図２】
2020065098.tif 000004
【図３】
2020065098.tif 000005
【図４】
2020065098.tif 000006
【図５】
2020065098.tif 000007
【図６】
2020065098.tif 000008
【図７】
2020065098.tif 000009
【図８】
2020065098.tif 000010
【図９】
2020065098.tif 000011
【図１０】
2020065098.tif 000012
【図１１】
2020065098.tif 000013
【図１２】
2020065098.tif 000014
【図１３】
2020065098.tif 000015
【図１４】
2020065098.tif 000016